(57)【要約】【課題】複数のセルが高密度で配置される構成においてもＣｏＭＰを適切に行うこと。【解決手段】複数のセルと協調送信を行うユーザ端末であって、複数の希望信号電力測定用リソース及び干渉信号電力測定用リソースを用いてチャネル推定を行う推定部と、所定の希望信号電力測定用リソースの推定結果と干渉信号電力測定用リソースの推定結果が組み合わされたＣＳＩプロセスに関する情報が少なくとも規定されたテーブルを利用して、ＣＳＩプロセスのフィードバックを制御する制御部と、を有し、制御部が、異なるＣＳＩプロセスに関する情報がそれぞれ規定された複数のテーブルを切り替えて利用する。【選択図】図６
2015126414.tif 000002
【特許請求の範囲】
【請求項１】
複数のセルと協調送信を行うユーザ端末であって、
複数の希望信号電力測定用リソース及び干渉信号電力測定用リソースを用いてチャネル推定を行う推定部と、
所定の希望信号電力測定用リソースの推定結果と干渉信号電力測定用リソースの推定結果が組み合わされたＣＳＩプロセスに関する情報が少なくとも規定されたテーブルを利用して、ＣＳＩプロセスのフィードバックを制御する制御部と、を有し、
前記制御部は、異なるＣＳＩプロセスに関する情報がそれぞれ規定された複数のテーブルを切り替えて利用することを特徴とするユーザ端末。
【請求項２】
前記推定部は、ユーザ端末に設定された希望信号電力測定用リソースにおける受信電力と、干渉信号電力測定用リソースにおける受信電力を測定することを特徴とする請求項１に記載のユーザ端末。
【請求項３】
下り制御信号に含まれるチャネル状態情報の報告要求に基づいて、ＣＳＩプロセスを非周期的にフィードバックする場合、前記制御部は、複数のビット値に対してそれぞれ異なるＣＳＩプロセスに関する情報が規定されたテーブルを利用することを特徴とする請求項１に記載のユーザ端末。
【請求項４】
ＣＳＩプロセスを周期的にフィードバックする場合、前記制御部は、ＣＳＩプロセスをフィードバックする上り制御チャネルリソースに対してそれぞれ異なるＣＳＩプロセスに関する情報が規定されたテーブルを利用することを特徴とする請求項１に記載のユーザ端末。
【請求項５】
前記制御部は、ＣＳＩプロセスを非周期的にフィードバックする場合と、ＣＳＩプロセスを非周期的にフィードバックする場合において、異なるＣＳＩプロセスが設定されたテーブルを利用することを特徴とする請求項１に記載のユーザ端末。
【請求項６】
前記推定部は、フィードバックするＣＳＩプロセスの内容に関わらず、各テーブルに規定されたＣＳＩプロセスを生成することを特徴とする請求項３又は請求項４に記載のユーザ端末。
【請求項７】
前記制御部は、下りリンク信号に含まれるテーブル切り替え要求信号に基づいて、テーブルの切り替えを制御することを特徴とする請求項１から請求項６のいずれかに記載のユーザ端末。
【請求項８】
前記制御部は、下りリンク信号に含まれるテーブル切り替え要求信号を受信した後、所定期間後にＣＳＩプロセスを周期的にフィードバックする場合に適用するテーブルを切り替えることを特徴とする請求項４に記載のユーザ端末。
【請求項９】
他の無線基地局と協調してユーザ端末と通信を行う無線基地局であって、
前記ユーザ端末に対して、希望信号電力測定用リソース及び干渉信号電力測定用リソースに関する情報と、前記ユーザ端末がＣＳＩプロセスのフィードバックに利用するテーブルに関する情報を送信する送信部と、
前記ユーザ端末から送信されるＣＳＩプロセスを受信する受信部と、
前記ユーザ端末に通知したテーブルに関する情報に基づいて、受信したＣＳＩプロセスを判断する判断部と、を有することを特徴とする無線基地局。
【請求項１０】
複数のセルと協調送信を行うユーザ端末の無線通信方法であって、
複数の希望信号電力測定用リソース及び干渉信号電力測定用リソースを用いてチャネル推定を行う工程と、所定の希望信号電力測定用リソースの推定結果と干渉信号電力測定用リソースの推定結果が組み合わされたＣＳＩプロセスに関する情報が少なくとも規定されたテーブルを利用して、ＣＳＩプロセスのフィードバックを行う工程と、を有し、
前記ユーザ端末は、下りリンク信号に含まれるテーブル切り替え用の情報に基づいて、異なるＣＳＩプロセスに関する情報がそれぞれ規定された複数のテーブルを切り替えて利用することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＬＴＥ（Long  Term  Evolution）やＬＴＥの後継システム（例えば、ＬＴＥアドバンスト（ＬＴＥ−Ａ）、ＦＲＡ（Future  Radio  Access）、４Ｇなどともいう）では、半径数百メートルから数キロメートル程度の相対的に大きいカバレッジを有するマクロセルと重複して、半径数メートルから数十メートル程度の相対的に小さいカバレッジを有するスモールセル（ピコセル、フェムトセルなどを含む）が配置される無線通信システム（例えば、ＨｅｔＮｅｔ（Heterogeneous  Network）ともいう）が検討されている（例えば、非特許文献１）。
【０００３】
かかる無線通信システムでは、マクロセルとスモールセルとの双方で同一の周波数帯を用いるシナリオ（例えば、co-channelともいう）や、マクロセルとスモールセルとで異なる周波数帯を用いるシナリオ（例えば、separate  frequencyともいう）が検討されている。後者のシナリオでは、マクロセルにおいて、相対的に低い周波数帯（例えば、２ＧＨｚ帯）を用い、スモールセルにおいて相対的に高い周波数帯（例えば、３．５ＧＨｚ帯、５ＧＨｚ帯など）を用いることも検討されている。
【０００４】
また、ＬＴＥ−Ａでは、セル間直交化を実現するための技術として、協調マルチポイント送受信（ＣｏＭＰ：Coordinated  Multi-Point  transmission/reception）技術が導入されている。ＣｏＭＰ送受信では、１つあるいは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。これらのＣｏＭＰ送受信技術の適用により、特にセル端に位置するユーザ端末ＵＥのスループット特性の改善が期待される。
【０００５】
ＣｏＭＰ送受信技術を適用するためには、ユーザ端末から無線基地局に、複数のセルに対するチャネル状態情報（ＣＳＩ：Channel  State  Information）をフィードバックする必要がある。チャネル状態情報（以下、「ＣＳＩ」という）は、下りリンクの瞬時のチャネル状態に基づく情報であり、例えば、チャネル品質情報（ＣＱＩ）、プリコーディングマトリックス指標（ＰＭＩ）、ランク指標（ＲＩ）などである。このＣＳＩは、周期的又は非周期的に、ユーザ端末から無線基地局に通知される。
【先行技術文献】
【非特許文献】
【０００６】
【非特許文献１】3GPP  TR  36.814“E-UTRA  Further  advancements  for  E-UTRA  physical  layer  aspects”
【発明の概要】
【発明が解決しようとする課題】
【０００７】
上述のＨｅｔＮｅｔでは、マクロセル内に多数のスモールセルを高密度に配置することによりキャパシティを増大することができる。例えば、Ｒｅｌ．１２以降のＨｅｔＮｅｔの構成として、セル間でのオフロード効果を図るために、トラフィックの大きい場所にスモールセルを局所的に配置することが想定されている。
【０００８】
一方で、スモールセルが高密度で配置される領域において、ユーザ端末と複数のスモールセル間で協調マルチポイント送受信（ＣｏＭＰ）を行うことも考えられる。かかる場合、１つのユーザ端末に対して複数種類のＣＳＩ−ＲＳを設定することが可能となり、ユーザ端末がフィードバックするＣＳＩの数も増加することが想定される。特に、ＣＳＩ−ＲＳとして、希望信号測定用のＣＳＩ−ＲＳと干渉測定用のゼロパワーのＣＳＩ−ＲＳが設定される場合、フィードバックするＣＳＩの種類が増加することが想定される。この場合、ユーザ端末がＣＳＩをどのようにフィードバックするかが問題となる。
【０００９】
例えば、ユーザ端末が全てのＣＳＩをフィードバックする場合、ＣＳＩフィードバックのオーバーヘッドが大きくなる。一方で、ＣＳＩフィードバックのオーバーヘッドを単に小さくすると、ユーザ端末から所望のＣＳＩをフィードバックできず、ＣｏＭＰを効果的に適用することができなくなるおそれがある。
【００１０】
本発明は、かかる点に鑑みてなされたものであり、複数のセルが高密度で配置される構成においてもＣｏＭＰを適切に行うことができるユーザ端末、無線基地局及び無線通信方法を提供することを目的とする。
【課題を解決するための手段】
【００１１】
本発明のユーザ端末は、複数のセルと協調送信を行うユーザ端末であって、複数の希望信号電力測定用リソース及び干渉信号電力測定用リソースを用いてチャネル推定を行う推定部と、所定の希望信号電力測定用リソースの推定結果と干渉信号電力測定用リソースの推定結果が組み合わされたＣＳＩプロセスに関する情報が少なくとも規定されたテーブルを利用して、ＣＳＩプロセスのフィードバックを制御する制御部と、を有し、前記制御部は、異なるＣＳＩプロセスに関する情報がそれぞれ規定された複数のテーブルを切り替えて利用することを特徴とする。
【発明の効果】
【００１２】
本発明によれば、複数のセルが高密度で配置される構成においてもＣｏＭＰを適切に行うことができる。
【図面の簡単な説明】
【００１３】
【図１】ＨｅｔＮｅｔの概念図である。
【図２】高密度スモールセル環境を説明する図である。
【図３】高密度スモールセル環境におけるＣｏＭＰを説明する図である。
【図４】ＣＳＩ−ＲＳリソース及びＣＳＩ−ＩＭリソースを説明する図である。
【図５】ＣＳＩプロセスを説明する図である。
【図６】非周期的ＣＳＩフィードバックで利用するテーブルの一例を示す図である。
【図７】周期的ＣＳＩフィードバックで利用するテーブルの一例を示す図である。
【図８】本実施の形態に係る無線通信システムの一例を示す概略図である。
【図９】本実施の形態に係る無線基地局の全体構成の説明図である。
【図１０】本実施の形態に係る無線基地局の機能構成の説明図である。
【図１１】本実施の形態に係るユーザ端末の全体構成の説明図である。
【図１２】本実施の形態に係るユーザ端末の機能構成の説明図である。
【発明を実施するための形態】
【００１４】
図１は、ＨｅｔＮｅｔの概念図である。図１に示すように、ＨｅｔＮｅｔは、マクロセル（Ｍａｃｒｏ  ｃｅｌｌ）とスモールセル（Ｓｍａｌｌ  ｃｅｌｌ）との少なくとも一部が地理的に重複して配置される無線通信システムである。ＨｅｔＮｅｔは、マクロセルを形成する無線基地局（以下、マクロ基地局という）と、スモールセルを形成する無線基地局（以下、スモール基地局という）と、マクロ基地局とスモール基地局と通信するユーザ端末とを含んで構成される。
【００１５】
マクロセルＭでは、例えば、８００ＭＨｚや２ＧＨｚ帯など、相対的に低い周波数帯のキャリア（以下、低周波数帯キャリアという）Ｆ１が用いられる。一方、複数のスモールセルＳでは、例えば、３．５ＧＨｚ、５ＧＨｚ帯など、相対的に高い周波数帯のキャリア（以下、高周波数帯キャリアという）Ｆ２が用いられる。なお、８００ＭＨｚや２ＧＨｚ、３．５ＧＨｚ、５ＧＨｚ帯はあくまでも一例である。マクロセルＭのキャリアとして、３．５ＧＨｚや５ＧＨｚ帯が用いられてもよいし、スモールセルＳのキャリアとして、８００ＭＨｚや２ＧＨｚ帯等が用いられてもよい。
【００１６】
ＨｅｔＮｅｔでは、低周波数帯のキャリアＦ１を用いるマクロセルにおいて、カバレッジ確保やモビリティサポートを行い、高周波数帯のキャリアＦ２を用いるスモールセルにおいて、容量増大やオフロードを行うこと（Macro-assisted、C/U-plane  split等ともいう）も検討されている。例えば、ユーザ端末がマクロ基地局及びスモール基地局の双方に接続可能である場合、制御メッセージを取り扱う制御プレーン（Ｃ（Ｃｏｎｔｒｏｌ）−ｐｌａｎｅ）をマクロセルによってサポートし、ユーザデータを取り扱うユーザプレーン（Ｕ（Ｕｓｅｒ）−ｐｌａｎｅ）をスモールセルによってサポートするよう分離して制御することができる。
【００１７】
つまり、マクロセルにより、制御プレーンの接続を確立してカバレッジやモビリティを確保し、スモールセルにより、データに特化したユーザプレーンの接続を確立してキャパシティを増大しＵＥスループットを増大することができる。
【００１８】
また、一般にユーザ分布やトラフィックは均一でなく、時間的、あるいは、場所的に変動する。そのため、マクロセル内に多数のスモールセルを配置する場合、上記図１に示すように、場所に応じて密度や環境の異なる形態（Sparse  and  Dense）で、スモールセルが配置されることが想定される。
【００１９】
例えば、ユーザ端末が多く集まる駅やショッピングモール等では、スモールセルの配置密度を高くし（Dense  small  cell）、ユーザ端末が集まらない場所では、スモールセルの配置密度を低くする（Sparse  small  cell）ことが考えられる。このように、Ｒｅｌ．１２以降では、スモールセルが特定範囲のクラスター内に高密度に配置（クラスター配置）することが想定されている（図２参照）。また、スモールセルクラスターとマクロセル間、クラスター内のスモールセル同士の接続方法（バックホールリンク）として、理想的バックホール（ideal  backhaul  link）又は非理想的バックホール（non-ideal  backhaul  link）とすることが検討されている。
【００２０】
一方で、スモールセルを単純に高密度化していく場合、周辺スモールセルからの干渉の増大により受信ＳＩＮＲが劣化する。その結果、スモールセル数を増加することによるスループットの改善効果は飽和してしまう。また、スモールセルは従来のマクロセルのように計画的に配置するのではなく、セルプランニングされずに配置することを想定している。さらに、スモールセルのセルプランニングを容易にする観点からは、スモールセル間の干渉を許容し、干渉信号はスモールセル間の干渉コーディネーションにより解決することが望まれている。
【００２１】
本発明者等は、このようなスモールセルが高密度で配置される環境（高密度スモールセル環境）では、異なるセル同士が重複する領域が複数設けられるため、従来のマクロセル環境と比較してＣｏＭＰの適用領域が広くなることに着目した（図３参照）。例えば、図３に示すように、スモールセルの配置に応じてユーザ端末は４セル以上のスモールセルから信号を受信する場合が想定される。このような場合、スモールセル間の干渉コーディネーションとして、ＣｏＭＰを適用することが非常に有効になると考えられる。
【００２２】
一方で、高密度スモールセル環境では、ユーザ端末が複数のセルからそれぞれ送信されるチャネル状態測定用参照信号（ＣＳＩ−ＲＳ（Channel  State  Information-Reference  Signal））を受信することが考えられる。以下に、ＬＴＥ−Ａで規定されているＣＳＩ−ＲＳについて説明する。
【００２３】
ＣＳＩ−ＲＳは、チャネル状態としてのＣＱＩ（Channel  Quality  Indicator）、ＰＭＩ（Precoding  Matrix  Indicator）、ＲＩ（Rank  Indicator）等のチャネル品質情報（ＣＳＩ：Channel  State  Information）測定に用いられる参照信号である。ＣＳＩ−ＲＳは、全てのサブフレームに割り当てられるＣＲＳ（Cell-specific  Reference  Signal）と異なり、所定の周期（例えば、１０サブフレーム周期）で割り当てられる。また、ＣＳＩ−ＲＳは、位置、系列および送信電力というパラメータで特定される。ＣＳＩ−ＲＳの位置には、サブフレームオフセット、周期、サブキャリア−シンボルオフセット（インデックス）が含まれる。
【００２４】
また、ＣＳＩ−ＲＳとして、ノンゼロパワーＣＳＩ−ＲＳとゼロパワーＣＳＩ−ＲＳとが定義されている。ノンゼロパワーＣＳＩ−ＲＳは、ＣＳＩ−ＲＳが割り当てられるリソースに送信パワーを分配し、ゼロパワーＣＳＩ−ＲＳは、割り当てられるリソースに送信パワーが分配されない（ＣＳＩ−ＲＳがミュートされる）。
【００２５】
ＣＳＩ−ＲＳは、ＬＴＥで規定される１サブフレームにおいて、下り制御チャネル（ＰＤＣＣＨ：Physical  Downlink  Control  Channel）等に割当てられる制御信号、ＰＤＳＣＨ（Physical  Downlink  Shared  Channel）に割当てられるユーザデータ、ＣＲＳ（Cell-specific  Reference  Signal）やＤＭ−ＲＳ（Demodulation-Reference  Signal）等の他の参照信号と重ならないように割当てられる。また、ＰＡＰＲを抑制する観点から、ＣＳＩ-ＲＳを割当て可能なリソースは、時間軸方向に隣接する２つのリソースエレメント（ＲＥ：Resource  Element）がセットで割り当てられる。
【００２６】
ＣＳＩ−ＲＳを用いてチャネル状態を算出する場合、他の送信ポイント（他セル）からの干渉の影響を考慮することが重要となる。そのため、希望信号電力測定用のＣＳＩ−ＲＳリソース（CSI-RS  resource）と、干渉信号電力測定用のＣＳＩ−ＩＭリソース（CSI-IM  resource）とを用いて、他の送信ポイントからの干渉を推定することができる（図４参照）。
【００２７】
このように、Ｒｅｌ．１１以降のＣｏＭＰでは、ＣＳＩ−ＲＳリソースとＣＳＩ−ＩＭリソースを組み合わせて利用することにより、他セルからの干渉成分を計算することが導入されている。ＣＳＩ−ＲＳリソースとＣＳＩ−ＩＭリソースとを組み合わせたＣＳＩに関する情報をＣＳＩプロセスと呼ぶ。以下に、本実施の形態におけるＣＳＩプロセスについて説明する。
【００２８】
図４Ａは、ＣｏＭＰを適用する送信ポイントＴＰ＃１、ＴＰ＃２からユーザ端末に下り送信を行う場合の模式図を示している。図４Ｂは、希望信号電力測定用のＣＳＩ−ＲＳリソースと、干渉信号電力測定用のＣＳＩ−ＩＭリソースの配置パターンの一例を示している。なお、各送信ポイントは、ＣＳＩ−ＲＳリソースに対してノンゼロパワーのＣＳＩ−ＲＳを割当て、ＣＳＩ−ＩＭリソースに対してゼロパワーＣＳＩ−ＲＳを割当てることができる。
【００２９】
ユーザ端末は、希望信号電力測定用のＣＳＩ−ＲＳリソースと、干渉信号電力測定用のＣＳＩ−ＩＭリソースに基づいてチャネル推定を行い、ＣＳＩ（例えば、ＣＱＩ）を生成する。例えば、ユーザ端末は、希望信号電力測定用のＣＳＩ−ＲＳリソースにおける信号電力（ＲＳＲＰ：Reference  Signal  Received  Power）と、干渉信号電力測定用のＣＳＩ−ＩＭリソースにおける信号電力を測定する。また、ユーザ端末は、測定した信号電力に基づいて、ＲＳＲＱ（Reference  Signal  Received  Quality）やＳＩＮＲを推定することも可能である。
【００３０】
このように、ユーザ端末は、各送信ポイントで設定される希望信号電力測定用のＣＳＩ−ＲＳリソースと、干渉信号電力測定用のＣＳＩ−ＩＭリソースの配置パターンに応じて、複数種類のＣＳＩを生成してフィードバックする。
【００３１】
例えば、図５Ａに示すように、送信ポイントＴＰ＃１とＴＰ＃２間でＣｏＭＰを適用する場合に、ユーザ端末に対してＣＳＩ−ＲＳリソース＃１、＃２、ＣＳＩ−ＩＭリソース＃１、＃２が設定される場合を想定する。ＣＳＩ−ＲＳリソース＃１は、ＴＰ＃１がノンゼロパワーのＣＳＩ−ＲＳを割当て、ＴＰ＃２がゼロパワーＣＳＩ−ＲＳを割当てるリソースである。ＣＳＩ−ＲＳリソース＃２は、ＴＰ＃１及びＴＰ＃２がノンゼロパワーのＣＳＩ−ＲＳを割当てるリソースである。ＣＳＩ−ＩＭリソース＃１は、ＴＰ＃１がゼロパワーのＣＳＩ−ＲＳを割当て、ＴＰ＃２がＰＤＳＣＨ信号を割当てるリソースである。ＣＳＩ−ＩＭリソース＃２は、ＴＰ＃１及びＴＰ＃２がゼロパワーのＣＳＩ−ＲＳを割当てるリソースである。
【００３２】
ユーザ端末は、ＣＳＩ−ＲＳリソース＃１を利用してＴＰ＃１からの信号電力を推定し、ＣＳＩ−ＲＳリソース＃２を利用してＴＰ＃１及びＴＰ＃２からの信号を合成した信号電力を推定することができる。また、ユーザ端末は、ＣＳＩ−ＩＭリソース＃１を利用してＴＰ＃１以外のセルからの干渉信号電力を推定し、ＣＳＩ−ＩＭリソース＃２を利用してＴＰ＃１及びＴＰ＃２以外のセルからの干渉信号電力を推定することができる。
【００３３】
次に、ユーザ端末は、ＣＳＩ−ＲＳリソース及びＣＳＩ−ＩＭリソースにおいて推定したチャネル状態（例えば、信号電力に関する情報）について、無線基地局にフィードバックする。この際、ユーザ端末は、ＣＳＩ−ＲＳリソースとＣＳＩ−ＩＭリソースを用いて推定したチャネル状態を適宜組み合わせたＣＳＩプロセス（ＣＳＩ  Ｐｒｏｃｅｓｓ）をフィードバックする。
【００３４】
例えば、図５Ｂに示すように、ＣＳＩ−ＲＳ＃１の信号電力に関する情報と、ＣＳＩ−ＩＭ＃１の信号電力に関する情報の組み合わせをＣＳＩプロセス＃１と定義する。また、ＣＳＩ−ＲＳ＃１の信号電力に関する情報と、ＣＳＩ−ＩＭ＃２の信号電力に関する情報の組み合わせをＣＳＩプロセス＃２と定義する。また、ＣＳＩ−ＲＳ＃２の信号電力に関する情報と、ＣＳＩ−ＩＭ＃２の信号電力に関する情報の組み合わせをＣＳＩプロセス＃３と定義する。なお、ＣＳＩ−ＲＳとＣＳＩ−ＩＭの組み合わせはこれに限られない。
【００３５】
無線基地局は、ユーザ端末からフィードバックされるＣＳＩプロセスに基づいて、他セルからの干渉成分を考慮したチャネル状態情報（ＣＳＩ）を適切に把握することができる。その結果、無線基地局は、各セルに対するユーザ端末のチャネル状態を考慮して、ＣｏＭＰを効果的に適用することが可能となる。
【００３６】
図５に示す場合には、２つの送信ポイントを考慮したＣＳＩプロセスを設定すればよい。しかし、スモールセルが高密度で配置される領域において、ユーザ端末と複数のスモールセル間でＣｏＭＰを適用する場合、ＣｏＭＰによるゲインを増大させるためには、ユーザ端末あたりのＣＳＩプロセス数を増加させた方が望ましい。
【００３７】
この場合、ユーザ端末が全てのＣＳＩプロセスのフィードバックを行うと、ＣＳＩフィードバックのオーバーヘッドが大きくなる。一方で、ＣＳＩフィードバックのオーバーヘッドを単に小さくすると、ユーザ端末から所望のＣＳＩをフィードバックできず、ＣｏＭＰを効果的に適用することができなくなるおそれがある。このように、スモールセルが高密度で配置される領域でＣｏＭＰを適用する場合、ユーザ端末がＣＳＩプロセスをどのようにフィードバックするかが問題となる。
【００３８】
そこで、本発明者等は、ＣＳＩ−ＲＳリソースを用いたチャネル推定結果とＣＳＩ−ＩＭリソースを用いたチャネル推定結果を組み合わせたＣＳＩプロセスに関する情報が規定されたテーブルを複数準備し、当該複数のテーブルを切り替えて利用することを着想した。以下に本実施の形態について、図面を参照して詳細に説明する。
【００３９】
（第１の態様）
第１の態様では、無線基地局からのＣＳＩリクエスト（トリガ）に応じて、ユーザ端末がＣＳＩ（ＣＳＩプロセス）をフィードバックする場合（非周期的ＣＳＩフィードバック）について説明する。
【００４０】
非周期的チャネル状態情報（Ａｐｅｒｉｏｄｉｃ  ＣＳＩ）は、無線基地局からのＣＳＩリクエスト（トリガ）に応じて、ユーザ端末から当該無線基地局に送信される。無線基地局が通知するトリガ（Ａｐｅｒｉｏｄｉｃ  ＣＳＩ  ｔｒｉｇｇｅｒｉｎｇ）は、下り制御チャネル（ＰＤＣＣＨ）で送信されるＵＬグラント（ＤＣＩフォーマット０／４）に含まれている。ユーザ端末は、当該ＵＬグラントに含まれるトリガに従って、当該ＵＬグラントで指定された上りデータチャネル（ＰＵＳＣＨ）を用いて、非周期的にＣＳＩ（以下、「Ａ−ＣＳＩ」とも記す）を報告する。このようなＡ−ＣＳＩの報告は、非周期的ＣＳＩ報告（Aperiodic  CSI  report）とも呼ばれる。
【００４１】
図６は、非周期的ＣＳＩのトリガの有無と、非周期的ＣＳＩがトリガされる際にユーザ端末から報告されるＣＳＩプロセスの内容（ＣＳＩプロセスセット）とが規定された複数のテーブル（ここでは、２種類のテーブル）を示している。各テーブルでは、非周期的ＣＳＩのフィードバックとして、４種類（２ビット）の動作がそれぞれ規定されている。ＣＳＩ要求フィールド（CSI  request  field）のビット毎に異なる非周期的ＣＳＩフィードバックの動作が規定されている。
【００４２】
図６では、非周期的ＣＳＩのトリガを行わない場合（“００”）と、非周期的ＣＳＩをトリガする場合（“０１”、“１０”、“１１”）とが規定されている。ユーザ端末は、下り制御情報（ＤＣＩ）のＣＳＩ要求フィールドのビット値が“００”の場合には、ＣＳＩの報告を行わない。一方で、ユーザ端末は、下り制御情報（ＤＣＩ）のＣＳＩ要求フィールドのビット値が“０１”、“１０”、“１１”の場合には、所定のＣＳＩ（ＣＳＩプロセス）をフィードバックする。
【００４３】
図６Ａのテーブルにおいて、“０１”は、サービングセル用に上位レイヤシグナリング（例えば、ＲＲＣシグナリング等）であらかじめ設定されたＣＳＩプロセスセットをユーザ端末が報告する場合を示している。また、“１０”、“１１”は、上位レイヤシグナリングで設定された第１のＣＳＩプロセスセット、第２のＣＳＩプロセスセットをそれぞれユーザ端末が報告する場合を示している。なお、ＣＳＩプロセスセットは、１種類以上のＣＳＩプロセスの組み合わせに相当し、各ビット値に異なるＣＳＩプロセスが定義される。
【００４４】
このように、ユーザ端末は、下り制御チャネル（ＰＤＣＣＨ）で送信される下り制御情報に含まれるＣＳＩリクエストフィールドのビット値に応じて、ＣＳＩのフィードバックの有無、ＣＳＩをフィードバックする場合のＣＳＩプロセスを制御する。なお、ＣＳＩ−ＲＳリソース及びＣＳＩ−ＩＭリソースの構成（位置、送信周期等）、ＣＳＩプロセス（ＣＳＩ−ＲＳとＣＳＩ−ＩＭの組み合わせ情報）、ＣＳＩプロセスセットに関する情報等は、上位レイヤシグナリング（報知信号、ＲＲＣシグナリング等）を用いて、無線基地局（例えば、マクロ基地局）からユーザ端末に通知することができる。
【００４５】
このように、スモールセル間におけるＣｏＭＰに関する情報について、マクロ基地局からユーザ端末に通知してもよい。また、ユーザ端末はＣＳＩプロセスについてもマクロ基地局に通知する構成としてもよい（特に、基地局内ＣＡ（Ｉｎｔｒａ−ｅＮＢ  ＣＡ）の場合）。もちろん、ユーザ端末は、ＣＳＩプロセスをスモール基地局に通知してもよい（特に、基地局間ＣＡ（Ｉｎｔｅｒ−ｅＮＢ  ＣＡ）の場合）。なお、Ｉｎｔｒａ−ｅＮＢ  ＣＡは、スケジューラをマクロ基地局に設けて、スモール基地局のスケジューリングについてもマクロ基地局で制御する形態を指す。また、Ｉｎｔｅｒ−ｅＮＢ  ＣＡは、スケジューラをマクロ基地局とスモール基地局にそれぞれ設けて、マクロ基地局とスモール基地局とが独立してスケジューリングを制御する形態を指す。
【００４６】
同様に、図６Ｂのテーブルにおいて、“０１”は、サービングセル用に上位レイヤシグナリングで設定されたＣＳＩプロセスセットをユーザ端末が報告する場合を示している。また、“１０”、“１１”は、上位レイヤシグナリングで設定された第３のＣＳＩプロセスセット、第４のＣＳＩプロセスセットをそれぞれユーザ端末が報告する場合を示している。ＣＳＩプロセスセットは、１種類以上のＣＳＩプロセスの組み合わせに相当し、各ビット値に異なるＣＳＩプロセスが定義される。第３のＣＳＩプロセスセット、第４のＣＳＩプロセスセットの内容は、図６Ａにおける第１のＣＳＩプロセスセット、第２のＣＳＩプロセスセットの内容と異なるように設定される。
【００４７】
また、ユーザ端末は、図６Ａのテーブルと図６Ｂのテーブルを、下りリンク信号に含まれる情報に基づいて切り替えて利用する。例えば、無線基地局は、下り制御情報（ＤＣＩ）に、テーブル切り替え用の信号（テーブル切り替え要求信号）を含めてユーザ端末に通知する。具体的には、下り制御情報に対してテーブル切り替え用に１ビットのビットフィールドを設け、当該ビットフィールドのビット値に応じてユーザ端末がテーブルを切り替える構成とすることができる。
【００４８】
例えば、ユーザ端末は、テーブル切り替え用のビット値が“０”である場合に図６Ａのテーブルを利用し、ビット値が“１”である場合に図６Ｂのテーブルを利用する。テーブル切り替え用のビットフィールドは、例えば、下り制御信号（ＰＤＣＣＨ信号及び／又はＥＰＤＣＣＨ信号）のユーザ固有サーチスペースに設けることができる。無線基地局は、下りリンク信号に設定したビット値に基づいて、ユーザ端末からフィードバックされるＣＳＩ（ＣＳＩプロセス）の内容を適切に判断することができる。
【００４９】
なお、無線基地局は、テーブル切り替え用の信号（テーブル切り替え要求信号）は下り制御情報に限られず、ＭＡＣ（Ｍｅｄｉｕｍ  Ａｃｃｅｓｓ  Ｃｏｎｔｒｏｌ）レイヤにおける信号（ＭＡＣ信号）で送信してもよい。また、図６では、ユーザ端末が、２種類のテーブルを切り替える場合を示したが、３種類以上のテーブルを切り替えて利用することも可能である。
【００５０】
このように、ユーザ端末が下りリンク信号（例えば、下り制御情報、ＭＡＣ信号等）に基づいて、複数のテーブルを切り替えて利用することにより、複数種類のＣＳＩプロセスのフィードバックが可能となる。これにより、セルが高密度に配置される環境においても、ユーザ端末が無線基地局に適切なＣＳＩをフィードバックすることができるため、複数セルとのＣｏＭＰを適切に行うことが可能となる。
【００５１】
（第２の態様）
第２の態様では、ユーザ端末から周期的にＣＳＩのフィードバックを行う場合（周期的ＣＳＩフィードバック）について説明する。
【００５２】
周期的チャネル状態情報（Ｐｅｒｉｏｄｉｃ  ＣＳＩ）は、ユーザ端末から無線基地局に対して周期的にＣＳＩが送信される。周期的ＣＳＩフィードバックにおいてユーザ端末は、ＣＳＩを送信するタイミング（サブフレーム）において上りデータ信号（ＰＵＳＣＨ信号）の送信を行わない場合には、ＣＳＩを上り制御チャネル（ＰＵＣＣＨ）を用いて送信する。一方で、ユーザ端末は、ＣＳＩをフィードバックするタイミングにおいて上りデータ信号の送信も行う場合には、ＣＳＩを上り共有データチャネル（ＰＵＳＣＨ）を用いて送信する。
【００５３】
本実施の形態において、ユーザ端末は、非周期的ＣＳＩフィードバックに加えて、周期的ＣＳＩフィードバックにおいても複数のテーブルを利用して所定のＣＳＩ（ＣＳＩプロセス）をフィードバックする。例えば、下りリンク信号（下り制御信号やＭＡＣ信号等）にテーブル切り替え要求信号が含まれている場合に、当該テーブル切り替え要求信号に対応するテーブルを選択して、周期的にフィードバックするＣＳＩの内容を決定する。
【００５４】
図７Ａは、ユーザ端末がＣＳＩ（ＣＳＩプロセス）をフィードバックするタイミング（サブフレーム）を示している。また、図７Ｂ、Ｃは、周期的ＣＳＩが割当てられるＰＵＣＣＨリソースに関する情報（ｐ０、ｐ１、ｐ２、ｐ３）と、ＣＳＩプロセスの内容が関連づけられたテーブルを示している。ＰＵＣＣＨリソースに関する情報（ｐ０〜ｐ３）は、ＰＲＢインデックスやサイクリックシフト情報等と関連付けられている。
【００５５】
ユーザ端末は、図７Ａに示すように、所定サブフレームのＰＵＣＣＨリソース（ここでは、ｐ０、ｐ１、ｐ２、ｐ３）を用いて、異なるＣＳＩプロセスをそれぞれ順番にフィードバックする。このように、周期的にユーザ端末に設定された４種類のＣＳＩプロセスを周期的に順番にフィードバックすることにより、無線基地局はフィードバックされた各ＣＳＩプロセスに基づいて、チャネル状態を把握することができる。なお、ｐ０〜ｐ３に対応するＣＳＩプロセスは上位レイヤシグナリング（例えば、ＲＲＣシグナリング、報知信号等）であらかじめユーザ端末に通知することができる。
【００５６】
さらに、本実施の形態では、周期的ＣＳＩのフィードバックに利用するテーブルを複数種類（ここでは、２種類）定義し（図７Ｂ、Ｃ参照）、ユーザ端末が各テーブルを切り替えて利用する。図７Ｂでは、ｐ０〜ｐ３に対してＣＳＩプロセス０〜３がそれぞれ対応し、図７Ｃでは、ｐ０〜ｐ３に対してＣＳＩプロセス０、４〜６がそれぞれ対応するように定義される場合を示している。
【００５７】
ユーザ端末は、図７Ｂのテーブルと図７Ｃのテーブルとを、下りリンク信号に含まれる信号（テーブル切り替え要求信号）に基づいて切り替えて制御する。例えば、ユーザ端末は、テーブル切り替え要求信号のビット値が“０”である場合に図７Ｂのテーブルを利用する。この場合、ユーザ端末は、ＣＳＩプロセス０〜ＣＳＩプロセス３を所定の周期ごとに順番にフィードバックする。また、ユーザ端末は、テーブル切り替え要求信号のビット値が“１”である場合に図７Ｃのテーブルを利用する。この場合、ユーザ端末は、ＣＳＩプロセス０、ＣＳＩプロセス４〜ＣＳＩプロセス６を所定周期ごとに順番にフィードバックする。
【００５８】
無線基地局は、ユーザ端末との通信状況（ユーザ端末の位置等）に応じて、ＣｏＭＰ制御に必要となるチャネル状態情報を決定し、当該チャネル状態情報が規定されたテーブルを選択する。そして、下りリンク信号にテーブル切り替え要求信号を含めてユーザ端末に送信することにより、必要となるＣＳＩ（ＣＳＩプロセス）をユーザ端末から取得することができる。
【００５９】
また、テーブルの切り替えは、上記第１の態様で示した非周期的ＣＳＩフィードバックと関連付けて行うことができる。つまり、ユーザ端末は、下りリンク信号にテーブル切り替え要求信号を検出した場合に、非周期的ＣＳＩフィードバックと周期的ＣＳＩフィードバックの双方において、利用するテーブルを切り替える。
【００６０】
この場合、非周期的ＣＳＩフィードバック用のテーブルと周期的ＣＳＩフィードバック用のテーブルに含まれるＣＳＩプロセスを関連付けて定義することが好ましい。例えば、上記図６Ａのテーブルで規定される第１のＣＳＩプロセスセット及び／又は第２のＣＳＩプロセスセットに、図７Ｂのテーブルで規定されるＣＳＩプロセス０〜ＣＳＩプロセス３の少なくとも何れかを含める。また、上記図６Ｂのテーブルで規定される第３のＣＳＩプロセスセット及び／又は第４のＣＳＩプロセスセットに、図７Ｃのテーブルで規定されるＣＳＩプロセス０、ＣＳＩプロセス４〜ＣＳＩプロセス６の少なくとも何れかを含める。
【００６１】
これにより、無線基地局は、ユーザ端末からフィードバックされる周期的ＣＳＩ及び非周期的ＣＳＩに基づいて、所望のチャネル状態に関する情報を取得することができる。
【００６２】
一方、非周期的ＣＳＩフィードバック用のテーブルと周期的ＣＳＩフィードバック用のテーブルに対して異なるＣＳＩプロセスを設定してもよい。非周期的ＣＳＩフィードバック用のテーブルとは、異なる周期的ＣＳＩフィードバック用のテーブルに含まれるＣＳＩプロセスを設定することで、周期的ＣＳＩフィードバックと非周期的ＣＳＩフィードバックの両方でより多くのＣＳＩプロセスをフィードバックすることが可能となる。
【００６３】
なお、ユーザ端末は、テーブル切り替え要求信号を検出した場合に、非周期的ＣＳＩフィードバックと周期的ＣＳＩフィードバックに用いるテーブルの切り替えタイミングをそれぞれ制御することができる。例えば、ユーザ端末は、テーブル切り替え要求信号を検出した場合、非周期的ＣＳＩのフィードバックに対しては、次に非周期的ＣＳＩ（ＣＳＩプロセス）をフィードバックするタイミングで、新しいタイミングに切り替える。図７Ａでは、ユーザ端末は、テーブル切り替え要求信号が送信されたサブフレームから所定後のサブフレーム（例えば、４サブフレーム後）に、切り替え後のテーブルを利用してＡ−ＣＳＩのフィードバックを行う。
【００６４】
一方で、周期的ＣＳＩフィードバックに対しては、ユーザ端末は、テーブル切り替え要求信号を検出してから所定期間経過後（例えば、Ｘｍｓ後）に、新しいテーブルに切り替えるように制御してもよい。例えば、ユーザ端末は、テーブル切り替え要求信号を検出してから、テーブルに規定された全てのＣＳＩプロセス（図７では、ｐ３に対応するＣＳＩプロセスまで）をフィードバックした後に、テーブルを切り替える構成とすることができる。
【００６５】
このように、ユーザ端末が下りリンク信号（例えば、下り制御情報、ＭＡＣ信号等）に基づいて、複数のテーブルを切り替えて利用することにより、複数種類のＣＳＩプロセスのフィードバックが可能となる。これにより、セルが高密度に配置される環境においても、ユーザ端末が無線基地局に適切なＣＳＩをフィードバックすることができるため、複数セルとのＣｏＭＰを適切に行うことが可能となる。
【００６６】
（無線通信システムの構成）
以下、本実施の形態に係る無線通信システムの構成について説明する。この無線通信システムでは、上記第１の態様、第２の態様に係る無線通信方法が適用される。なお、上記第１の態様、第２の態様に係る無線通信方法は、それぞれ単独で適用してもよいし、組み合わせて適用してもよい。
【００６７】
図８は、本実施の形態に係る無線通信システムの概略構成図である。なお、図８に示す無線通信システムは、例えば、ＬＴＥシステム或いは、ＳＵＰＥＲ  ３Ｇが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）を適用することができる。また、この無線通信システムは、ＩＭＴ−Ａｄｖａｎｃｅｄと呼ばれても良いし、４Ｇ、ＦＲＡ（Future  Radio  Access）と呼ばれても良い。
【００６８】
図８に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。ユーザ端末２０は、無線基地局１１及び無線基地局１２の双方に接続すること（dual  connectivity）ができる。この場合、ユーザ端末２０は、異なる周波数を用いるマクロセルＣ１とスモールセルＣ２を、ＣＡ（キャリアアグリゲーション）により同時に使用することが想定される。また、無線基地局１１からユーザ端末２０に対して、無線基地局１２に関する情報（マクロアシスト情報）を送信することができる。
【００６９】
ユーザ端末２０と無線基地局１１との間は、相対的に低い周波数帯域（例えば、２ＧＨｚ）で帯域幅が狭いキャリア（既存キャリア、Legacy  carrier等と呼ばれる）を用いて通信が行なわれる。一方、ユーザ端末２０と無線基地局１２との間は、相対的に高い周波数帯域（例えば、３．５ＧＨｚ等）で帯域幅が広いキャリアが用いられてもよいし、無線基地局１１との間と同じキャリアが用いられてもよい。ユーザ端末２０と無線基地局１２間のキャリアタイプとしてニューキャリアタイプ（ＮＣＴ）を利用してもよい。無線基地局１１と無線基地局１２（又は、無線基地局１２間）は、有線接続（Optical  fiber、Ｘ２インタフェース等）又は無線接続されている。
【００７０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置に接続されてもよい。
【００７１】
なお、無線基地局１１は、相対的に広いカバレッジを有する無線基地局であり、ｅＮｏｄｅＢ、マクロ基地局、送受信ポイントなどと呼ばれてもよい。また、無線基地局１２は、局所的なカバレッジを有する無線基地局であり、スモール基地局、ピコ基地局、フェムト基地局、Ｈｏｍｅ  ｅＮｏｄｅＢ、ＲＲＨ（Remote  Radio  Head）、マイクロ基地局、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００７２】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。
【００７３】
ここで、図８に示す無線通信システムで用いられる通信チャネルについて説明する。下りリンクの通信チャネルは、各ユーザ端末２０で共有されるＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ、拡張ＰＤＣＣＨ）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ／ＮＡＣＫが伝送される。また、拡張ＰＤＣＣＨ（ＥＰＤＣＣＨ）により、ＰＤＳＣＨ及びＰＵＳＣＨのスケジューリング情報等が伝送されてもよい。このＥＰＤＣＣＨは、ＰＤＳＣＨ（下り共有データチャネル）と周波数分割多重される。
【００７４】
上りリンクの通信チャネルは、各ユーザ端末２０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（ＣＱＩ）、送達確認信号（ＡＣＫ／ＮＡＣＫ）等が伝送される。
【００７５】
図９は、本実施の形態に係る無線基地局１０（無線基地局１１及び１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インタフェース１０６とを備えている。
【００７６】
下りリンクにより無線基地局１０からユーザ端末２０に送信されるユーザデータは、上位局装置３０から伝送路インタフェース１０６を介してベースバンド信号処理部１０４に入力される。
【００７７】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下りリンクの制御チャネルの信号に関しても、チャネル符号化や逆高速フーリエ変換等の送信処理が行われて、各送受信部１０３に転送される。
【００７８】
また、ベースバンド信号処理部１０４は、上位レイヤシグナリング（例えば、ＲＲＣシグナリング、報知情報等）により、ユーザ端末２０に対して、当該セルにおける通信のための制御情報を通知する。当該セルにおける通信のための情報には、例えば、上りリンク又は下りリンクにおけるシステム帯域幅等が含まれる。また、ＣＳＩ−ＲＳリソース、ＣＳＩ−ＩＭリソース、ＣＳＩプロセス、ＣＳＩリクエストフィールドに設定されるＣＳＩプロセスセットに関する情報等も上位レイヤシグナリングに含めて通知することができる。
【００７９】
各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。また、送受信部１０３は、ＣＳＩ−ＲＳリソース及びＣＳＩ−ＩＭリソースに関する情報と、ユーザ端末がＣＳＩフィードバックに利用するテーブルに関する情報（ＣＳＩプロセスセットの内容等）を送信する送信部として機能する。
【００８０】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００８１】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インタフェース１０６を介して上位局装置３０に転送される。呼処理部１０５は、通信チャネルの設定や解放等の呼処理や、無線基地局１０の状態管理や、無線リソースの管理を行う。
【００８２】
図１０は、本実施の形態に係る無線基地局１０（例えば、スモール基地局となる無線基地局１２）が有するベースバンド信号処理部１０４の主な機能構成図である。なお、図１０においては、本実施の形態における特徴部分の機能ブロックを主に示しているが、無線基地局１０は、無線通信に必要な他の機能ブロックも有しているものとする。
【００８３】
図１０に示すように、無線基地局１０が有するベースバンド信号処理部１０４は、制御部（スケジューラ）３０１と、テーブル選択部３０２と、データ信号生成部３０３と、制御信号生成部３０４と、ＣＳＩ−ＲＳ生成部３０５と、ＣＳＩ取得部（判断部）３０６と、を含んで構成されている。
【００８４】
制御部（スケジューラ）３０１は、ＰＤＳＣＨで送信される下りデータ信号、ＰＤＣＣＨ及び／又は拡張ＰＤＣＣＨ（ＥＰＤＣＣＨ）で伝送される下り制御信号、ＣＳＩ−ＲＳ等の下り参照信号等のスケジューリングを制御する。また、制御部３０１は、ＰＵＳＣＨで伝送される上りデータ、ＰＵＣＣＨ又はＰＵＳＣＨで伝送される上り制御情報、上り参照信号のスケジューリングの制御（割当て制御）も行う。上りリンク信号（上り制御信号、上りユーザデータ）の割当て制御に関する情報は、下り制御信号（ＤＣＩ）を用いてユーザ端末に通知される。
【００８５】
また、制御部３０１は、上位局装置３０からの指示情報や各ユーザ端末２０からのフィードバック情報（例えば、ＣＱＩ、ＲＩなどを含むＣＳＩ）に基づいて、無線リソースの割り当てを行う。
【００８６】
テーブル選択部３０２は、ユーザ端末がチャネル状態情報のフィードバックに利用するテーブルを決定する。例えば、テーブル選択部３０２は、他の無線基地局とのＣｏＭＰを適用する際に必要となるＣＳＩ（ＣＳＩプロセス）が規定されたテーブルを選択し、制御部３０１へ出力する。
【００８７】
データ信号生成部３０３は、制御部３０１によりリソースへの割当てが決定された下りデータ信号（ＰＤＳＣＨ信号）を生成する。データ信号生成部３０３により生成されるデータ信号には、各ユーザ端末２０からのＣＳＩ等に基づいて決定された符号化率、変調方式に従って符号化処理、変調処理が行われる。
【００８８】
制御信号生成部３０４は、制御部３０１により割当てが決定された下り制御信号（ＰＤＣＣＨ信号及び／又はＥＰＤＣＣＨ信号）を生成する。具体的に、制御信号生成部３０４は、制御部３０１からの指示に基づいて、下りリンク信号の割当て情報を通知するＤＬ  ａｓｓｉｇｎｍｅｎｔと、上りリンク信号の割当て情報を通知するＵＬ  ｇｒａｎｔを生成する。また、制御信号生成部３０４は、ユーザ端末に非周期ＣＳＩのフィードバックを要求する場合には、ＣＳＩ要求フィールドに所定のビットを設定する。
【００８９】
また、ユーザ端末がＣＳＩフィードバックに利用するテーブルを切り替える場合、制御信号生成部３０４は、テーブル切り替え要求信号を生成する。制御信号生成部３０４で生成されるテーブル切り替え要求信号は、下り制御信号（ＰＤＣＣＨ信号及び／又はＥＰＤＣＣＨ信号）のユーザ固有サーチスペースに設けることができる。また、送受信部１０３は、制御信号生成部３０４で生成されるテーブル切り替え要求信号を、ＭＡＣレイヤにおける信号（ＭＡＣ信号）を用いてから送信してもよい。
【００９０】
また、制御信号生成部３０４は、ＣＳＩ−ＲＳリソース及びＣＳＩ−ＩＭリソースに関する情報と、ユーザ端末がＣＳＩフィードバックに利用するテーブルに関する情報を生成してもよい。
【００９１】
ＣＳＩ−ＲＳ生成部３０５は、制御部３０１からの指示に基づいてＣＳＩ−ＲＳを生成する。例えば、ＣＳＩ−ＲＳ生成部３０５は、ＣＳＩ−ＲＳリソースに割当てるノンゼロパワーＣＳＩ−ＲＳと、ＣＳＩ−ＩＭリソースに割当てるノンゼロパワーＣＳＩ−ＲＳを生成する。
【００９２】
ＣＳＩ取得部（判断部）３０６は、ユーザ端末２０からフィードバックされるＣＳＩ（ＣＳＩプロセス）を取得すると共に、受信したＣＳＩプロセスの内容を判断する。例えば、ＣＳＩ取得部３０６は、非周期的ＣＳＩに対して、テーブル選択部３０２で選択されたテーブルと、ＣＳＩ要求フィールドのビット値に基づいて受信したＣＳＩの内容を判断することができる。
【００９３】
図１１は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【００９４】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御（ＨＡＲＱ−ＡＣＫ）の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。送受信アンテナ２０１は、ＣＳＩ−ＲＳリソース及びＣＳＩ−ＩＭリソースに関する情報と、ユーザ端末がＣＳＩフィードバックに利用するテーブルに関する情報（ＣＳＩプロセスセットの内容等）を受信する受信部として機能する。
【００９５】
一方、上りリンクのユーザデータについては、アプリケーション部２０５からベースバンド信号処理部２０４に入力される。ベースバンド信号処理部２０４では、再送制御（ＨＡＲＱ−ＡＣＫ）の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【００９６】
図１２は、ユーザ端末２０が有するベースバンド信号処理部２０４の主な機能構成図である。なお、図１２においては、本実施の形態における特徴部分の機能ブロックを主に示しているが、ユーザ端末２０は、無線通信に必要な他の機能ブロックも有しているものとする。
【００９７】
図１２に示すように、ユーザ端末２０が有するベースバンド信号処理部２０４は、下り制御信号復号部４０１と、下りデータ信号復号部４０２と、チャネル推定部４０３と、判断部４０４と、フィードバック制御部（制御部）４０５と、を有している。
【００９８】
下り制御信号復号部４０１は、下り制御チャネル（ＰＤＣＣＨ）で送信された下り制御信号（ＵＬ  ｇｒａｎｔ、ＤＬ  ａｓｓｉｇｎｍｅｎｔ）を復号し、スケジューリング情報等をフィードバック制御部４０５へ出力する。下り制御信号復号部４０１は、下り制御信号に含まれる非周期的ＣＳＩの要求信号（トリガ）や、テーブル切り替え要求信号を検出した場合には、フィードバック制御部４０５へ出力する。
【００９９】
下りデータ信号復号部４０２は、下り共有チャネル（ＰＤＳＣＨ）で送信された下りデータ信号を復号し、判断部４０４へ出力する。判断部４０４は、下りデータ信号復号部４０２の復号結果に基づいて、各ＤＬサブフレームに対する再送制御判定（送達確認（ＡＣＫ／ＮＡＣＫ））を行う。判断部４０４における送達確認の判断結果は、フィードバック制御部４０５に出力される。
【０１００】
チャネル推定部４０３は、無線基地局から送信されるＣＳＩ−ＲＳに基づいてチャネル推定を行うと共に、チャネル状態情報を生成する。つまり、チャネル推定部４０３は、チャネル状態情報生成部としても機能する。また、チャネル推定部４０３は、チャネル推定のみ行い、フィードバック制御部４０５においてＣＳＩ（ＣＳＩプロセス）を生成する構成としてもよい。
【０１０１】
具体的に、チャネル推定部４０３は、ＣＳＩ−ＲＳリソースと、ＣＳＩ−ＩＭリソースに基づいてチャネル推定を行い、各ＣＳＩ（ＣＳＩプロセス）を生成する。例えば、チャネル推定部４０３は、ＣＳＩ−ＲＳリソースにおける信号電力と、ＣＳＩ−ＩＭリソースにおける信号電力を測定する。また、チャネル推定部４０３は、測定した信号電力に基づいて、ＲＳＲＱ（Reference  Signal  Received  Quality）やＳＩＮＲを推定することも可能である。
【０１０２】
また、チャネル推定部４０３は、フィードバック制御部４０５からフィードバックするＣＳＩ（ＣＳＩプロセス）の内容に関わらず、各テーブルに規定された全てのＣＳＩ（ＣＳＩプロセス）を生成してもよい。これにより、フィードバック制御部４０５は、ＣＳＩのフィードバックを迅速に行うことが可能となる。
【０１０３】
フィードバック制御部４０５は、下り制御信号復号部４０１から出力されるスケジューリング情報、判断部４０４から出力される再送制御判定結果、チャネル推定部４０３から出力されるＣＳＩ（ＣＳＩプロセス）に基づいて、上りリンク信号のフィードバックを制御する。
【０１０４】
具体的に、フィードバック制御部４０５は、チャネル推定部４０３から出力される情報と、ＣＳＩプロセスが規定された複数のテーブルを利用して、ＣＳＩ（ＣＳＩプロセス）のフィードバックを制御する。例えば、フィードバック制御部４０５は、非周期的ＣＳＩのフィードバックを行う場合に上記図６の複数のテーブルを切り替えて利用し、周期的ＣＳＩのフィードバックを行う場合に上記図７の複数のテーブルを切り替えて利用することができる。フィードバック制御部４０５は、下り制御信号にテーブル切り替え要求信号が含まれている場合に、テーブルを切り替える。
【０１０５】
以上のように、本実施の形態では、ユーザ端末が下りリンク信号（例えば、下り制御情報、ＭＡＣ信号等）に基づいて、複数のテーブルを切り替えて利用することにより、複数種類のＣＳＩプロセスのフィードバックが可能となる。これにより、セルが高密度に配置される環境においても、ユーザ端末が無線基地局に適切なＣＳＩをフィードバックすることができるため、複数セルとのＣｏＭＰを適切に行うことが可能となる。
【０１０６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０７】
１…無線通信システム
１０…無線基地局
１１…無線基地局（マクロ基地局）
１２、１２ａ、１２ｂ、１２ｃ…無線基地局（スモール基地局）
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インタフェース
２０１…送受信アンテナ
２０２…アンプ部
２０３…送受信部
２０４…ベースバンド信号処理部
２０５…アプリケーション部
３０１…制御部（スケジューラ）
３０２…テーブル選択部
３０３…データ信号生成部
３０４…制御信号生成部
３０５…ＣＳＩ−ＲＳ生成部
３０６…ＣＳＩ取得部（判断部）
４０１…下り制御信号復号部
４０２…下りデータ信号復号部
４０３…チャネル推定部
４０４…判断部
４０５…フィードバック制御部（制御部）
【図１】
2015126414.tif 000003
【図２】
2015126414.tif 000004
【図３】
2015126414.tif 000005
【図４】
2015126414.tif 000006
【図５】
2015126414.tif 000007
【図６】
2015126414.tif 000008
【図７】
2015126414.tif 000009
【図８】
2015126414.tif 000010
【図９】
2015126414.tif 000011
【図１０】
2015126414.tif 000012
【図１１】
2015126414.tif 000013
【図１２】
2015126414.tif 000014